(57)【要約】【課題】重量体により、重心バランスを下部に持たせることによる方法では、確実な安定を得ることが難しい花器や、いろいろ大小さまざま、多種多様に種類のある花器類にひとつひとつ対応させることや、花器の構造を変えることが必要がなく、磁性体付剣山を用いることを必要としない花器の固定方法を提供する。【解決手段】花器の口から内部に、粒状の磁性固定体を複数挿入することで、前記複数の磁性固定体が花器の内部にて相互に磁力吸着し、前記花器の口の大きさよりも大きな内部集合磁性固定体を形成し、前記内部集合磁性固定体と花器の底部外側に位置する磁性固定面との相互の磁力にて花器を固定することを特徴とする。【選択図】  図１
2014100610.tif 000002
【特許請求の範囲】
【請求項１】
花器の口から内部に、粒状の磁性固定体を複数挿入することで、前記複数の磁性固定体が花器の内部にて相互に磁力吸着し、前記花器の口の大きさよりも大きな内部集合磁性固定体を形成し、
前記内部集合磁性固定体と花器の底部外側に位置する磁性固定面との相互の磁力にて花器を固定することを特徴とする花器の固定方法。
【発明の詳細な説明】
【技術分野】
【０００１】
本発明は花器を固定する花器固定構造体に関するものである。
【背景技術】
【０００２】
従来の花器の固定方法や転倒防止方法としては、花器の内部に鉛や砂利などの重い重量体を花器内部の底部に沈めて、花器全体の重心位置をなるべく下部にするように安定を図る方法。
あるいは、磁力の吸着方法によって、台座との間を固定する方法が一般的に使用されている。
【０００３】
前記の重心位置を下部にする方法において、砂利を用いる方法は、花器の大小によらず、たとえ、口が小さくとも適度な大きさの砂利を調整しながら、適量だけ用いることができるため便利である。
古くから、現代にいたるまで用いられてきている。
一方、磁力による方法として、具体的には、特願２００６−６６６９９のように細長い花器の下端部に磁石を埋め込み、磁力によって、スチール製の平面に固定して、自立させる方法が提案されている。
また、実用新案公開の実開平３−１３８７０により、花器や剣山の磁石を仕込んで生花の長持ちと生花の共倒れ防止を防ぐ方法が提案されている。
磁力による固定方法として、滑り止めの手段（実開昭６３−１８７９６３）や、壁などにも吸着固定する方法（実開昭６１−９３１７３）、鏡を花器に磁力吸引させて一体化して、安定にする方法（実開平５−２１７６６）などがある。
いずれも、磁力を用いていることで、特開２００２−３５７６０に記述されているように水のクラスター分解を促し、高浸透性を持たせる作用も併せ持つ効果期待できる。
【先行技術文献】
【特許文献】
【０００４】
【特許文献１】特開２００７−２０９７３４号公報
【特許文献２】特開２００２−１２５８２０号公報
【特許文献３】特開２００２−０３５７６０号公報
【特許文献４】実開平０５−０２１７６６号公報
【特許文献５】実開平０４−００３０６７号公報
【特許文献６】実開平０３−０１３８７０号公報
【特許文献７】実開平０１−０５９４５９号公報
【特許文献８】実開昭６３−１８７９６３号公報
【特許文献９】実開昭６１−０９３１７３号公報
【発明の概要】
【発明が解決しようとする課題】
【０００５】
最近のデザイン的に好まれる傾向がある花器は下部が小さく、見た目が、不安定なものも多く見受けられる。
そのため、従来からある、重量体により、重心バランスを下部に持たせることによる方法では、不安定感を払拭するほどの、確実な安定を得ることができない花器もあった。
【０００６】
一方、強力に固定化する力を有する磁力による方法は、特許文献にあるように、いろいろ大小さまざま、多種多様に種類のある花器類にひとつひとつ対応させる必要がある。
花器の構造を変える必要があったり、磁性体付剣山を用いることを必要とした。
磁性体付剣山においては、適度な大きさを必要とし、口のせまい花器には不適当であった。
【課題を解決するための手段】
【０００７】
本発明に係る花器の固定方法は、花器の口から内部に、粒状の磁性固定体を複数挿入することで、前記複数の磁性固定体が花器の内部にて相互に磁力吸着し、前記花器の口の大きさよりも大きな内部集合磁性固定体を形成し、前記内部集合磁性固定体と花器の底部外側に位置する磁性固定面との相互の磁力にて花器を固定することを特徴とする。
【０００８】
つまり、イメージとして、従来用いられてきた適宜大小さまざまな重量体としての粒状の砂利に、磁性を持たせて、重量バランスと磁力吸着の両方を用いることで、主体とする問題の解決を図るものである。
【０００９】
磁性固定体１の構成が、複数の磁性固定体１同士が、吸着し結合しあって構成された集合磁性固定体１１であることを特徴とすることで、適量の磁力を調整できて便利である。
また、互いの吸着力により適度な塊となって、花器底部に設置できるので便利である。
小さな口の花器からでも、例えば、ひとつひとつの粒状とした磁性固定体１として、挿入することができるので、従来の砂利のように使うことができる上に、花器底部で吸着しあって、塊となるために適宜必要な重量バランスのところに配置することができる。
【００１０】
磁性固定体１が少なくとも１以上の粒状磁性固定体１−１から構成されていると、前述のような利便性がある。
もちろん前述のように粒状磁性固定体１−１が２以上からなる集合磁性固定体１１のように構成されることが好ましい。
【００１１】
磁性固定体１と磁性固定体２により、磁力吸着せしめる構成にすると花器外部より、適宜必要な場所に、花器底部を挟み込むように固定化できて好ましい。
【００１２】
磁性固定体１が概略球状であると、花器底部との接触面が点に近く小さな接触面となるため、摩擦が少なくてすみ、移動しやすく便利である。
また、花器側面と挟み込むように磁性個性体２と吸着せしめて、固定化するときに磁性固定体１が概略球状であると都合がよい。
加えて、概略球状の複数の磁性固定体１同士で集合磁性固定体１１となった場合に形状が複雑に変形させやすく便利である。
さらに集合磁性固定体１１の隙間が適度に得られることで花器内の水の流動性が高まる。
【００１３】
磁性固定体２も同様に２以上複数の磁性固定体２−２からなる集合磁性固定体２１であることを特徴とすることで前記固定手段や方法に特段の効果を得ることができる。
【００１４】
磁性固定体２も概略球状であることで特別の利便性が得られる。
【００１５】
磁性固定体２が粒状磁性固定体２−１であることを特徴とすることで、特段の効果を得ることができる。
２以上複数の粒状磁性固定体２−１からなる集合磁性固定体２１によって、効果的な固定方法が可能である。
【００１６】
もちろん、磁性固定面３と磁性固定体１とで、花器底部を挟み込むように磁力吸着させて安定固定化する方法も固定方法としては、安定している。
【００１７】
また、磁性固定体１と磁性固定体２との磁力吸着に加えて、磁性固定面３とによる複合的磁性吸着力により、固定化するとより強力に柔軟な安定を得ることができる。
【００１８】
磁性固定体１もしくは磁性固定体２が樹脂コーティングされていれば、水に接していても、錆びないし、吸着自体が樹脂の弾性により、柔らかく当たるために好ましい。
【００１９】
以上の集合磁性固定体１１や集合磁性固定２１に用いるための、磁力を自ら有する粒状磁性固定体があれば、適宜分量を量りながら、集合磁性固定体１１若しくは集合磁性固定２１に振り分けることができて便利である。
【００２０】
花器固定構造体に滅菌作用や防腐作用を有する物質を添加することで、花が長持ちするといった利便性が得られて、好ましい。
【発明の効果】
【００２１】
花器内部に自在に挿入でき、固定時には、底部に位置せしめるための磁性固定体１と、花器固定位置に位置する磁性固定体２もしくは磁性固定面３とを磁力のよる吸着力を生じせしめて、花器の固定安定化を目的とする花器固定構造とすることで、磁性固定体１の重力バランスと磁性固定体１と磁性固定体２若しくは磁性固定面３による吸着力により、安定して花器を固定化できる。
【００２２】
磁性固定体１の構成が、複数の磁性固定体１同士が、吸着し結合しあって構成された集合磁性固定体１１であることを特徴とすることで、適量の磁力を調整できて便利である。
互いの吸着力により適度な塊となって、花器底部に設置できるので便利である。
小さな口の花器からでも、例えば、ひとつひとつの粒状とした磁性固定体１として、挿入することできるので、従来の砂利のように使うことができる上に、花器底部で吸着しあって、塊となるために適宜必要な重量バランスのところに配置することができる。
【００２３】
磁性固定体１が少なくとも１以上の粒状磁性固定体１−１から構成されていると、前述のような利便性があって、便利である。
もちろん前述のように２以上の粒状磁性固定体１−１からなる集合磁性固定体１１のように構成されることが好ましい。
これにより、集合磁性固定体１１の間に隙間ができるために、花器に花を生けた際に、花がずれるといった不具合を防ぐこともできる。
【００２４】
また、集合磁性固定体１１の隙間に水が入り込み、水が流動することで水のクラスタ分解といった効果も期待できるため、花が長持ちしやすい環境を提供できる。
【００２５】
磁性固定体１と磁性固定体２により、磁力吸着せしめる構成にすると外部より、適宜必要な場所に、花器底部を挟み込むように固定化できて好ましい。
【００２６】
磁性固定体１が概略球状であると、花器底部との接触面が点に近く小さな接触面となるため、摩擦が少なくてすみ、移動しやすく便利である。
また、花器側面と挟み込むように磁性個性体２と吸着せしめて、固定化するときに磁性固定体１が概略球状であると都合がよい。
【００２７】
加えて、概略球状の複数の磁性固定体１同士で集合磁性固定体１１となった場合に形状が複雑に変形させやすく便利である。
【００２８】
磁性固定体２も同様に２以上複数の磁性固定体２−１からなる集合磁性固定体２１であることを特徴とすることで図６のように外部からサポートするように固定化する手段も取れるし、図５のように複合的な吸着力を得る方法で花器の大小、底部の形状によらず、自由に形付けられるために、個々の花器に合った固定方法が取れる。
【００２９】
磁性固定体２も概略球状であることで、１つで使用する場合には、転がりやすく、摩擦が少なく移動しやすい。
複数で用いる場合には、集合磁性固定体の形状を変化させやすい。
【００３０】
磁性固定体２が粒状磁性固定体２−１であることを特徴とすることで、特段の効果を得ることができる。
２以上複数の粒状磁性固定体２−１からなる集合磁性固定体２１によって、割合しっかりとした集合形状を形作ることができ、効果的な固定方法が可能である。
【００３１】
磁性固定面３と磁性固定体１とで、花器底部を挟み込むように磁力吸着させて安定固定化する方法も固定方法として、安定している。
【００３２】
また、磁性固定体１と磁性固定体２との磁力吸着に加えて、磁性固定面３とによる複合的磁性吸着力により、固定化するとより強力で柔軟な安定を得ることができる。
【００３３】
磁性固定体１が樹脂コーティングされていれば、水に接していても、錆びないし、吸着自体が樹脂の弾性により、柔らかく当たるために好ましい。
【００３４】
磁性固定体２においても樹脂コーティングされていれば、吸着自体が樹脂の弾性により、柔らかく当たるために好ましい。
【００３５】
以上の集合磁性固定体１１や集合磁性固定２１に用いるための、磁力を自ら有する粒状磁性固定体があれば、適宜分量を量りながら、集合磁性固定体１１若しくは集合磁性固定２１に振り分けることができて便利である。
【００３６】
花器固定構造体に滅菌作用や防腐作用を有する物質を添加することで、花が長持ちするといった利便性が得られて、好ましい。
【図面の簡単な説明】
【００３７】
【図１】本発明の実施形態を示す説明縦中央端面図である。
【図２】本発明の実施形態を示す説明縦中央端面図である。
【図３】本発明の実施形態を示す説明縦中央端面図である。
【図４】本発明の実施形態を示す説明縦中央端面図である。
【図５】本発明の実施形態を示す説明縦中央端面図である。
【図６】本発明の実施形態を示す説明縦中央端面図である。
【発明を実施するための形態】
【００３８】
本発明の具体的な形態について、各図面に基づいて説明する。
図面は全て縦断面を表す説明図である。
簡明のために、特に注釈がない図面は全て端面図ある。
【実施例１】
【００３９】
図１は説明縦中央端面図である。
この形態は、花器底部に粒状磁性体１−１複数から構成される集合磁性固定体１１である。
磁性体１−１はネオジューム磁石を樹脂コーティングしたものであり、各々が吸着して、集合磁性固定１１を構成している。
磁性固定面３は鉄からなる磁性体である。
構成としては、磁性体同士が磁性吸着して固定できればよく、磁性固定面３が磁力を有するもので、磁性固定体１が鉄などを主体とした磁性体であっても、集合磁性固定体１１に構成されればよく、磁性力を少なともいずれか一方が有していればよい。
もちろん、両方が磁力を有する磁性体であれば、より強力な吸着力が得られるのは言うまでもない。
【実施例２】
【００４０】
図２は、平面４の一部に位置する磁性固定体２と花器内部の集合磁性固定１１との磁性吸着力によって、固定化される方法を示している。
この場合においても、磁性固定体２もしくは、磁性固定体１からなる集合磁性固定１１のどちらか少なくとも一方に磁力があればよい。
【実施例３】
【００４１】
図３のように磁力を有している複数の粒状磁性固定体１−１からなる集合磁性固定体１１だけであっても、花器の安定化には有効である。
互いに吸着することで、塊となって、適宜都合のよい位置に位置づけることができる。
移動に際しては、磁力を外部から、影響させて、移動することもでき便利である。
【実施例４】
【００４２】
図４のように磁性固定体１が概略球状であると利便性が高い。
図のように摩擦が少なく、どの位置にでも固定化可能である。
この形態においては樹脂で外側を覆っており、柔軟な接触が可能である。
コーティングしたり、外側を樹脂で覆うことで、痛みも少なく、扱いやすいものとなる。
【実施例５】
【００４３】
図５のように花器底部裏側の空間などに複数の粒状磁性体２−１を充填するように構成するときっちりと固定化されて便利である。
また、磁性体は集合磁性固定体１１、集合磁性固定体２１、磁性体固定面３のいずれかに磁力があれば事足りるが、もっとも、好ましい形態は、各磁性体自身が磁力を有していると最も強固に固定されるので、頑丈である。
【実施例６】
【００４４】
図６のように花器の側面に集合磁性固定体２１を吸着固定させる方法もある。
この場合においては、内部の集合磁性固定１１がなくとも、花器の下部形状に合せて、集合磁性固定体２１を形づくるようにするだけでも固定化がはかれる。
しかしながら、理想的には、図６のように、集合磁性固定体１１と集合磁性固定体２１と磁性固定面３とで磁力吸着せしめて固定化する手段が最も好ましい。
集合磁性固定２１に樹脂コーティングして、彩り鮮やかな磁性固定体として利用すれば、きれいにコーディネイトすることも可能である。
【符号の説明】
【００４５】
１  磁性固定体１
１−１  粒状磁性固定体１
１１  集合磁性固定体１
２  磁性固定体２
２−１  粒状磁性固定体２
２１  集合磁性固定体２
３  磁性固定面
４  平面
５  生花
６  樹脂
７  花器
【図１】
2014100610.tif 000003
【図２】
2014100610.tif 000004
【図３】
2014100610.tif 000005
【図４】
2014100610.tif 000006
【図５】
2014100610.tif 000007
【図６】
2014100610.tif 000008